(57)【要約】【課題】  簡便にネットワークプリンタに対応するプリンタドライバをインストール可能なインストーラを提供する情報処理装置、情報処理方法及びそのプログラムを提供する。【解決手段】  ＰＣ・Ｒ０３は、ネットワークＲ０５に接続されたプリンタＲ０１にアクセス可能であり、ネットワークＲ０５を介してプリンタＲ０１に対して少なくともＩＰアドレスを設定する処理を行う（ステップＳ０３）。また、ＰＣ・Ｒ０３は、プリンタＲ０１に対して設定したＩＰアドレスを少なくとも含む設定情報を反映した、プリンタＲ０１に対応したプリンタドライバをインストールするためのインストーラを作成する処理を行う（ステップＳ０５）。【選択図】  図１
2006127060.tif 000002
【特許請求の範囲】
【請求項１】
ネットワークに接続されたプリンタにアクセス可能な情報処理装置であって、
前記ネットワークを介して前記プリンタに対して少なくともＩＰアドレスを設定する入力手段と、
前記入力手段が前記プリンタに対して設定した前記ＩＰアドレスを少なくとも含む設定情報を反映した、前記プリンタに対応したプリンタドライバをインストールするためのインストーラを作成する作成手段と
を具備することを特徴とする情報処理装置。
【請求項２】
表示装置と、
前記作成手段が作成した前記インストーラを保存する場所を利用者が指定するための保存場所指定手段を含む画面を表示装置に表示する画面制御手段と
を更に具備することを特徴とする請求項１に記載の情報処理装置。
【請求項３】
前記インストーラは、実行されることで前記プリンタに対応したプリンタドライバをインストールすると共に、前記プリンタのＩＰアドレスの設定を少なくとも自動で行うプログラムであることを特徴とする請求項１又は２に記載の情報処理装置。
【請求項４】
前記入力手段は、前記プリンタに対して前記ＩＰアドレスを入力する方法として、利用者の手入力により前記プリンタに対して前記ＩＰアドレスの入力を行う第１の方法と、前記ネットワークに接続されている装置にＩＰアドレスを自動で付与するサーバを利用して前記プリンタに対して前記ＩＰアドレスを設定する第２の方法とを有することを特徴とする請求項１〜３のいずれか１項に記載の情報処理装置。
【請求項５】
前記入力手段が前記第２の方法により前記ＩＰアドレスを入力した場合には、前記プリンタから設定された前記ＩＰアドレスの情報を取得する取得手段を更に具備することを特徴とする請求項４に記載の情報処理装置。
【請求項６】
前記ネットワークに接続されている装置にＩＰアドレスを自動で付与するサーバとは、ＤＨＣＰサーバであることを特徴とする請求項４に記載の情報処理装置。
【請求項７】
前記入力手段は、前記プリンタの機種情報を更に設定可能であり、
前記作成手段は、前記入力手段が前記プリンタに対して設定した前記ＩＰアドレス及び前記機種情報を少なくとも含む設定情報を反映した、前記プリンタに対応したプリンタドライバをインストールするためのインストーラを作成すること
を特徴とする請求項１〜６のいずれか１項に記載の情報処理装置。
【請求項８】
ネットワークに接続されたプリンタにアクセス可能な情報処理装置を用いた情報処理方法であって、
前記ネットワークを介して前記プリンタに対して少なくともＩＰアドレスを設定する設定ステップと、
前記設定ステップで前記プリンタに対して設定した前記ＩＰアドレスを少なくとも含む設定情報を反映した、前記プリンタに対応したプリンタドライバをインストールするためのインストーラを作成する作成ステップと
を有することを特徴とする情報処理方法。
【請求項９】
ネットワークに接続されたプリンタにアクセス可能な情報処理装置用のプログラムであって、
前記ネットワークを介して前記プリンタに対して少なくともＩＰアドレスを設定する設定ステップと、
前記設定ステップで前記プリンタに対して設定した前記ＩＰアドレスを少なくとも含む設定情報を反映した、前記プリンタに対応したプリンタドライバをインストールするためのインストーラを作成する作成ステップと
をコンピュータに実行させるためのプログラム。
【発明の詳細な説明】
【技術分野】
【０００１】
本発明は、通信媒体上のプリンタを駆動するプリンタドライバと相互作用するプログラムを搭載した情報処理装置、情報処理方法及びそのプログラムに関するものである。
【背景技術】
【０００２】
従来から、さまざまなツールを用いてプリンタにＩＰアドレスを設定したり、あるいはネットワーク上で稼動しているプリンタを検索してユーザのＰＣにそのプリンタに対応するプリンタドライバをインストールすることは可能であった。これらの技術の従来例としては、たとえばプリンタ内に情報格納エリアを用意して、そこにユーザＰＣの情報を格納したりする技術が開示されている（例えば、特許文献１及び２参照。）。あるいは、プリンタ情報の更新や追加のデータを管理するサーバを用いたりする技術が開示されている（例えば、特許文献３参照。）。
【０００３】
いずれにしろ実現するためには専用の仕組みが必要であるか、別途インストールの仕組みを構築する必要があった。また、これらの従来技術には、ユーザ環境でネットワークプリンタに対応するプリンタドライバをインストールする技術については触れられているが、それらの設定を行ったインストーラ部の作成や設定については触れられていない（例えば、特許文献４参照。）。あるいは、特許文献３に示すようなサーバ運用に手間がかかるものが多い。
【０００４】
従来においては、ネットワーク上のプリンタに対応するプリンタドライバをＰＣにインストールする際にはネットワーク上にプリンタが複数ある場合などはそのプリンタの情報（ＩＰアドレスなど）をインストールするユーザが認識している必要があった。
しかし、最近ではこれらの弱点を解決する技術が開発されている。これらの中にはユーザのＰＣに自動的にネットワークプリンタに対応したプリンタドライバをインストールすることを可能にしたものもある。
【０００５】
【特許文献１】特開２００４−２２０４５２号公報
【特許文献２】特開２００４−７４４５８号公報
【特許文献３】特開２０００−３３０７４２号公報
【特許文献４】特開２００２−３６６５０２号公報
【発明の開示】
【発明が解決しようとする課題】
【０００６】
しかし、上述したプリンタドライバのインストール技術においては、プリンタ本体あるいはサーバなどで情報ＤＢを管理している場合が多く、コスト高になってしまったり、サーバなどの管理工数等が発生してしまったりするという問題がある。
また、プリンタドライバをインストールする仕組み（自動インストーラ作成など）は、ネットワークやインストーラに関して専門の知識をもった管理者が設定・作成する必要があったり、あるいは前述のようなサーバなどで管理する必要があったりしていた。
【０００７】
本発明は、上述した事情を考慮してなされたもので、簡便にネットワークプリンタに対応するプリンタドライバをインストール可能なインストーラを提供する情報処理装置、情報処理方法及びそのプログラムを提供することを目的とする。
【課題を解決するための手段】
【０００８】
この発明は、上述した課題を解決すべくなされたもので、本発明による情報処理装置においては、ネットワークに接続されたプリンタにアクセス可能な情報処理装置であって、ネットワークを介してプリンタに対して少なくともＩＰアドレスを設定する入力手段と、入力手段がプリンタに対して設定したＩＰアドレスを少なくとも含む設定情報を反映した、プリンタに対応したプリンタドライバをインストールするためのインストーラを作成する作成手段とを具備することを特徴とする。
【０００９】
これにより、上記ネットワークに接続されている他のコンピュータ端末において、プリンタに対応するプリンタドライバをインストールする場合には、上記インストーラを利用することで、少なくともプリンタのＩＰアドレスが既に設定済みの状態でプリンタドライバをインストールすることができる。
【００１０】
また、本発明による情報処理方法においては、ネットワークに接続されたプリンタにアクセス可能な情報処理装置を用いた情報処理方法であって、ネットワークを介してプリンタに対して少なくともＩＰアドレスを設定する設定ステップと、設定ステップでプリンタに対して設定したＩＰアドレスを少なくとも含む設定情報を反映した、プリンタに対応したプリンタドライバをインストールするためのインストーラを作成する作成ステップとを有することを特徴とする。
【００１１】
また、本発明によるプログラムは、ネットワークに接続されたプリンタにアクセス可能な情報処理装置用のプログラムであって、ネットワークを介してプリンタに対して少なくともＩＰアドレスを設定する設定ステップと、設定ステップでプリンタに対して設定したＩＰアドレスを少なくとも含む設定情報を反映した、プリンタに対応したプリンタドライバをインストールするためのインストーラを作成する作成ステップとをコンピュータに実行させるためのプログラムである。
【発明の効果】
【００１２】
本発明による情報処理装置、情報処理方法及びそのプログラムは、簡便にネットワークプリンタに対応するプリンタドライバをインストール可能なインストーラを提供することができる。
【発明を実施するための最良の形態】
【００１３】
以下に、図面を参照して、本発明の好適な実施の形態について説明する。
本発明の一実施形態における情報処理装置について説明する。図２は、本発明の一実施形態における情報処理装置を含むネットワーク環境の一例を示す図である。
【００１４】
図２において、Ｒ０１は、印刷処理を行うプリンタである。このプリンタＲ０１は、ＩＰアドレス未設定の工場出荷時状態のプリンタであり、ネットワークプリンタである。Ｒ０２は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバであり、ＴＣＰ／ＩＰネットワークにつながっている個々のクライアント端末に対して、ＩＰアドレスなど、ネットワークを利用するために登録が必要な情報を、自動的に設定する。
【００１５】
Ｒ０３は、プリンタ管理者（ＩＰアドレス設定者）のＰＣ（パーソナルコンピュータ）であり、プリンタＲ０１に対してＩＰアドレスの設定処理等を行う情報処理装置である。特に、ＰＣ・Ｒ０３は、プリンタドライバのインストーラを実行してカスタムインストーラを作成する機能も有する。Ｒ０４は、ユーザが利用するユーザＰＣである。Ｒ０５は、ネットワークであり、例えばＬＡＮ（Ｌｏｃａｌ  Ａｒｅａ  Ｎｅｔｗｏｒｋ）などの通信網である。
【００１６】
次に、図２に示したＰＣ・Ｒ０３のハードウェア構成例について説明する。
図３は、図２に示したＰＣ・Ｒ０３のハードウェア構成例を示す図である。図３において、符号Ｔ０１は、演算及び制御用の中央演算処理部（ＣＰＵ）である。Ｔ０３は、カスタムインストールが実行される場合に、インストーラプログラムがロードされる実行領域、及びプログラムの作業領域が確保されるＲＡＭ（Ｒａｎｄｏｍ  Ａｃｃｅｓｓ  Ｍｅｍｏｒｙ）である。Ｔ０４は、オペレータが操作やデータ入力を行うためのキーを有するキーボードである。
【００１７】
Ｔ０５は、ディスプレイ（表示装置）Ｔ０６に表示されたボタンなどをクリックする、あるいはカーソルを移動して操作の指示を行うマウスなどのポィンティングデバイスである。Ｔ０７は、インストーラ、および作成されたカスタムインストーラを格納する記憶装置（ハードディスク（ＨＤ））である。Ｔ０８は、ＰＣ・Ｒ０３内の各デバイスを相互に接続するバスである。Ｔ０９は、通信Ｉ／Ｆ（インタフェイス）装置であり、ネットワークＲ０５を介して通信を行うための処理を行う。
【００１８】
尚、ＰＣ・Ｒ０３のハードウェア構成は、図３の構成例に限定されるものではなく、一般的なＰＣと同様の構成であればよい。ユーザＰＣ・Ｒ０４のハードウェア構成も同様の構成である。
【００１９】
次に、図２に示したＰＣ・Ｒ０３におけるプリンタドライバのインストーラの処理について説明する。図１は、本発明の一実施形態における情報処理装置が行うプリンタドライバのインストール処理を示すフローチャートである。図１に示すように、例えば、プリンタ管理者がＰＣ・Ｒ０３を操作することにより一般的なネットワーク環境（たとえば図２）で工場出荷時設定のプリンタＲ０１をネットワークＲ０５に接続した状態で、インストーラの開始が指示されると、ステップＳ０１において、ＰＣ・Ｒ０３は、プリンタドライバのインストール処理を開始する。尚、ＰＣ・Ｒ０３は、ネットワークＲ０５上に接続された対象プリンタＲ０１を検索する機能を備えていてもよい。
【００２０】
次に、ステップＳ０２において、ＰＣ・Ｒ０３は、プリンタＲ０１のＩＰアドレスを設定するか否かの選択をプリンタ管理者に促す画面をディスプレイＴ０６に表示する。これにより、プリンタ管理者がプリンタＲ０１のＩＰアドレスを設定する方を選択すると、ＰＣ・Ｒ０３は、プリンタＲ０１のＩＰアドレスを設定すると判断し（ステップＳ０２のＹＥＳ）、ステップＳ０３へ進む。ステップＳ０３において、ＰＣ・Ｒ０３は、ネットワークＲ０５を介してアクセスすることでプリンタＲ０１にＩＰアドレスを設定する。特に、図２に示したように、購入後の工場出荷時状態のプリンタＲ０１をセットアップする場合は、ＩＰアドレスを設定する必要がある。
【００２１】
次に、ステップＳ０４に進み、ＰＣ・Ｒ０３は、ステップＳ０３において設定したプリンタＲ０１のＩＰアドレスをポートに指定して自動的にドライバインストールを実行するカスタムインストーラを作成するか否かの選択をプリンタ管理者に促す画面をディスプレイＴ０６に表示する。これにより、プリンタ管理者がカスタムインストーラを作成する方を選択すると、ＰＣ・Ｒ０３は、プリンタＲ０１のプリンタドライバのカスタムインストーラを作成すると判断し（ステップＳ０４のＹＥＳ）、ステップＳ０５へ進む。
【００２２】
ここで、カスタムインストーラとは、プリンタＲ０１のＩＰアドレスを設定済みのプリンタドライバのインストーラである。例えば、ユーザＰＣ・Ｒ０４において、このカスタムインストーラを利用することで、ユーザＰＣ・Ｒ０４の利用者は、プリンタＲ０１のＩＰアドレスを設定する作業を省略することができる。また、上述したステップＳ０２やＳ０４において、「選択をプリンタ管理者に促す画面」とは、文字等により「選択して下さい」という旨を明示する画面に限定されるものではなく、プリンタ管理者が自発的に選択や設定を行う画面へ移行するためのリンク等を提供する画面も含まれる。
【００２３】
次に、ステップＳ０５において、ＰＣ・Ｒ０３は、プリンタ管理者がプリンタＲ０１に対応するプリンタドライバのカスタムインストーラの作成を行うための画面（以下、作成用画面とする）をディスプレイＴ０６に表示する。図４は、カスタムインストーラの作成用画面例を示す図である。図４において、Ｕ００は、カスタムインストーラの作成用画面であり、プリンタＲ０１に対応するプリンタドライバのカスタムインストーラの作成を行うために必要な情報を入力するための画面である。Ｕ０１は、保存先のパス指定用エディットボックスである。また、Ｕ０２はフォルダ名を指定するエディットボックスである。図４に示すように、プリンタ管理者は作成用画面Ｕ００において保存先とフォルダの名前を指定するだけの簡単な操作でインストール先ＩＰアドレス（プリンタＲ０１のＩＰアドレス）を設定済みのカスタムインストーラを作成することができる。
【００２４】
ここで、上記ステップＳ０５の処理により作成されるカスタムインストーラのモジュール構成例及びカスタムインストーラ用設定ファイル例について説明する。図５は、本実施形態におけるカスタムインストーラのモジュール構成例を示す図である。図５に示すように、カスタムインストーラは、ドライバインストーラ実行モジュールＷ０１、カスタムインストーラ用設定ファイルＷ０２、及びプリンタドライバＷ０３から構成される。
【００２５】
図６は、図５に示したカスタムインストーラ用設定ファイルＷ０２の一例を示す図である。これらのファイルはインストーラがプリンタＲ０１に設定した情報から自動的に設定ファイルとして書き出すファイルである。カスタムインストーラはこのカスタムインストーラ用設定ファイルＷ０２に従って動作する。図６において、Ｘ０１は対象プリンタの名前を示す情報である。Ｘ０２は、インストール対象プリンタのＩＰアドレスを示す情報である。Ｘ０３は、インストールするプリンタドライバＷ０３のドライバネームを示す情報である。
【００２６】
ここで、図１の説明に戻る。次に、ステップＳ０６において、ＰＣ・Ｒ０３は、現在の実行環境（ＰＣ・Ｒ０３自身）にもプリンタドライバＷ０３をインストールする場合にはインストールを実行する。このようにして作成したカスタムインストーラを他のユーザが自身の環境（例えばユーザＰＣ・Ｒ０４）で実行することにより、前述したプリンタ管理者がプリンタＲ０１に対して設定したＩＰアドレスなどの情報を知らなくても、自動的にプリンタＲ０１に関する設定を含めたプリンタドライバのインストール処理が行われる。
【００２７】
ここで、ユーザＰＣ・Ｒ０４におけるカスタムインストーラによるインストール処理について説明する。図７は、ユーザＰＣ・Ｒ０４におけるカスタムインストーラによるインストール処理のフローチャートを示す図である。図７に示すように、ユーザＰＣ・Ｒ０４においてカスタムインストーラを起動すると、ステップＶ０１において、ユーザＰＣ・Ｒ０４は、ネットワークＲ０５上のプリンタＲ０１に対応したドライバインストールを実行するか否かの選択をユーザに促す画面（以下、カスタムインストール実行画面とする。）をディスプレイＴ０６に表示する。図８は、本実施形態におけるカスタムインストール実行画面の一例を示す図である。
【００２８】
この、カスタムインストール実行画面においてユーザが「実行」を押下した場合には、ユーザＰＣ・Ｒ０４は、カスタムインストーラによるインストール処理を実行すると判断して（ステップＶ０１のＹＥＳ）、ステップＶ０２に進む。ステップＶ０２において、ユーザＰＣ・Ｒ０４は、図６に示したカスタムインストーラ用設定ファイルＷ０２を参照して、カスタムインストーラ実行モジュールＷ０１を起動して、ドライバインストールを実行する。これにより、ユーザＰＣ・Ｒ０４においてプリンタＲ０１を使用可能な状態になる。
【００２９】
以上に説明したように、本実施形態のＰＣ・Ｒ０３においては、従来技術での問題点であったサーバを用いたりあるいはプリンタＲ０１に特別な機能を持たせることなく、ユーザＰＣ・Ｒ０４においてユーザが簡単な操作でプリンタＲ０１のプリンタドライバをインストールすることが可能なカスタムインストーラを作成することができる。また、従来はカスタムインストーラを作成するためには、ネットワーク管理者程度の知識が必要であったが、ＰＣ・Ｒ０３を用いれば誰でも簡単にカスタムインストーラを作成できる。また上述した機能は、インストーラの一機能であり、別途ほかのソフトウェアとして開発する必要も無く、安価な方法でこれらの機能が提供できる。
【００３０】
尚、上述した実施形態においては、プリンタＲ０１のＩＰアドレスを設定する際に、ＰＣ・Ｒ０３のプリンタ管理者が手入力することによりＩＰアドレスの設定を行っていたが、この設定方法に限定されるものではなく、例えば、ＤＨＣＰサーバＲ０２を利用してプリンタＲ０１に自動でＩＰアドレスを設定する設定方法などでもよい。この場合には、ＰＣ・Ｒ０３は、プリンタＲ０１から設定されたＩＰアドレスを取得する機能を備える。
【００３１】
また、上述した実施形態において図１に示したＰＣ・Ｒ０３の各処理は、各処理の機能を実現する為のプログラムをメモリから読み出して中央演算処理部Ｔ０１が実行することによりその機能を実現させるものである。ここで、メモリとは、例えば記憶装置（ＨＤ）Ｔ０７であり、コンピュータ読取可能な記録媒体である。
【００３２】
尚、上述した構成に限定さるものではなく、図１に示したＰＣ・Ｒ０３の各処理の全部または一部の機能を専用のハードウェアにより実現してもよい。また、上述したメモリは、ＨＤに限定されるものではなく、光磁気ディスク装置、フラッシュメモリ等の不揮発性のメモリや、ＣＤ−ＲＯＭ等の読み出しのみが可能な記録媒体、ＲＡＭ以外の揮発性のメモリ、あるいはこれらの組合せによるコンピュータ読み取り、書き込み可能な記録媒体より構成されてもよい。
【００３３】
また、図１に示したＰＣ・Ｒ０３の各処理の機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。具体的には、記憶媒体から読み出されたプログラムが、コンピュータに挿入された機能拡張ボードやコンピュータに接続された機能拡張ユニットに備わるメモリに書きこまれた後、そのプログラムの指示に基づき、その機能拡張ボードや機能拡張ユニットに備わるＣＰＵなどが実際の処理の一部または全部を行い、その処理によって前述した実施形態の機能が実現される場合も含む。
【００３４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００３５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータシステムに既に記録されているプログラムとの組合せで実現できるもの、いわゆる差分ファイル（差分プログラム）であっても良い。
【００３６】
また、上記のプログラムを記録したコンピュータ読み取り可能な記録媒体等のプログラムプロダクトも本発明の実施形態として適用することができる。上記のプログラム、記録媒体、伝送媒体およびプログラムプロダクトは、本発明の範疇に含まれる。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３７】
【図１】本発明の一実施形態における情報処理装置が行うプリンタドライバのインストール処理を示すフローチャートである。
【図２】本発明の一実施形態における情報処理装置を含むネットワーク環境の一例を示す図である。
【図３】図２に示したＰＣ・Ｒ０３のハードウェア構成例を示す図である。
【図４】カスタムインストーラの作成用画面例を示す図である。
【図５】本実施形態におけるカスタムインストーラのモジュール構成例を示す図である。
【図６】図５に示したカスタムインストーラ用設定ファイルＷ０２の一例を示す図である。
【図７】ユーザＰＣ・Ｒ０４におけるカスタムインストーラによるインストール処理のフローチャートを示す図である。
【図８】本実施形態におけるカスタムインストール実行画面の一例を示す図である。
【符号の説明】
【００３８】
Ｒ０１  プリンタ
Ｒ０２  ＤＨＣＰサーバ
Ｒ０３  ＰＣ
Ｒ０４  ユーザＰＣ
Ｒ０５  ネットワーク
Ｔ０１  ＣＰＵ
Ｔ０２  ＲＯＭ
Ｔ０３  ＲＡＭ
Ｔ０４  キーボード
Ｔ０５  ポィンティングデバイス
Ｔ０７  記憶装置（ＨＤ）
Ｕ００  カスタムインストーラの作成用画面
Ｕ０１  保存先パス指定用エディットボックス
Ｕ０２  保存フォルダ名指定用エディットボックス
Ｗ０１  ドライバインストーラ実行モジュール
Ｗ０２  カスタムインストール設定ファイル
Ｗ０３  プリンタドライバ
【図１】
2006127060.tif 000003
【図２】
2006127060.tif 000004
【図３】
2006127060.tif 000005
【図４】
2006127060.tif 000006
【図５】
2006127060.tif 000007
【図６】
2006127060.tif 000008
【図７】
2006127060.tif 000009
【図８】
2006127060.tif 000010